(57)【特許請求の範囲】
【請求項１】
基端側が給水源に接続された配管と、該配管に設けられ、略椀形状のカバーを天井 面より突出させたスプリンクラヘッドと、前記配管の基端側に設けた水抜栓と、該水 抜栓を制御する制御手段とを備えたスプリンクラ消火設備において、前記スプリンク ラヘッドに、火災検知時に動作信号を出力する接点機構を設け、前記スプリンクラヘ ッドが設けられる室内に火災感知器を設置し、前記接点機構のリード線と前記火災感 知器を同一の信号線に接続し、前記火災感知器と前記スプリンクラヘッドのどちらか 一方の動作信号により、前記給水源と前記配管とを接続するように、水抜栓を制御す ることを特徴とするスプリンクラ消火設備。
【発明の詳細な説明】
【０００１】
【発明の属する技術分野】
本発明は、スプリンクラ消火設備に関するものである。
【０００２】
【従来の技術】
従来、水道本管から配管を分岐して、その配管にスプリンクラヘッドを取り付けた一般家庭用のスプリンクラ消火設備がある。このスプリンクラ消火設備においては、配管内は常時、充水されており、配管の末端に給水栓を設けることで、配管内に水が停滞しないようにしてある。
【０００３】
【発明が解決しようとする課題】
このスプリンクラ消火設備は、配管内が常時、充水された湿式のスプリンクラ消火設備であるため、寒冷地では使用することが出来なかった。
【０００４】
【課題を解決するための手段】
本発明は以上の問題点を解決するためになされたもので、基端側が給水源に接続さ    れた配管と、配管に設けられ、略椀形状のカバーを天井面より突出させたスプリンク    ラヘッドと、配管の基端側に設けた水抜栓と、水抜栓を制御する制御手段とを備えた    スプリンクラ消火設備において、スプリンクラヘッドに、火災検知時に動作信号を出 力する接点機構を設け、スプリンクラヘッドが設けられる室内に火災感知器を設置し、
接点機構のリード線と火災感知器を同一の信号線に接続し、火災感知器とスプリンク ラヘッドのどちらか一方の動作信号により、給水源と配管とを接続するように、水抜 栓を制御することを特徴とするものである。
【０００５】
【発明の実施の形態】
図１は本発明のスプリンクラ消火設備のシステム図、図２は水抜栓の開閉状態を簡略してあらわした図面、図３は接点機構付きスプリンクラヘッドの断面図、図４は水抜栓の断面図である。本実施形態においては、一戸建ての家屋Ｋにスプリンクラ消火設備を設置した場合について説明する。
【０００６】
図において、１はスプリンクラ消火設備の給水源としての水道本管である。２は給水用の配管で、その基端側は、水道本管１に接続されている。６は配管２に接続されたスプリンクラヘッドで、このスプリンクラヘッド６には、火災検知時に、動作信号を出力する接点機構７が設けられている。なおスプリンクラヘッド６が接続される横方向に引き延ばされた配管２ａは、水道本管１側に下がるように少しだけ傾斜して設置されている。
【０００７】
スプリンクラヘッド６は配管２ａにＹ字型の継手を介して取り付けられる。この継手は停滞水（死水）防止継手と呼ばれる継手で、給水栓１１を使用する時に、配管２内に流れる水流によって継手のスプリンクラヘッド６の立ち下がり部分の水を攪拌するようにして、立ち下がり部分の水が停滞しないようにするためのものである。
【０００８】
図３はこの接点機構付きスプリンクラヘッド６の一例を示した図面である。図３に    おいて、８は円筒状に形成された取付部材で、スプリンクラヘッド６のフランジに固    定されるものである。取付部材８の下端にはフランジ８ａが形成され、このフランジ    ８ａに、金属製のカバー５に半田で接着された係止バネ９の端部が係止している。
また、カバー５は略椀形状をなし、天井面から突出した状態で取付されている。
【０００９】
接点機構７はカバー５側に設けた磁石７ａと、取付部材８のフランジ８ａ上に設けたリードスイッチ７ｂとから構成されている。７ｃはリードスイッチ７ｂに接続されたリード線で、後述する信号線Ｓに接続される。なお接点機構７としてリミットスイッチなどの近接スイッチを使用してもよい。
【００１０】
図１に戻って、１１は配管２の末端に設けられた給水栓で、１３が配管２の基端側に設けられた水抜栓である。この水抜栓１３は、家屋Ｋの付近の地中内に設けられる。水抜栓１３は、水道本管１と配管２がそれぞれ接続される接続口１３ａ，１３ｂの他に、外部への排水口１４を有する一種の三方弁であり、水道本管１又は外部への排水口１４のいずれか一方を家屋Ｋ内の配管２と接続する構造になっている（図４参照、なお必要であれば特開平５−１４０９７１号参照）。
【００１１】
この水抜栓１３は日中や夏季などの通常時においては、常時、開放され水道本管１と配管２とを接続し、配管２内を充水させている。また夜間や冬季などの配管２内の凍結を防止しなければならない時（以下、凍結防止時という）には、閉じられ、水道本管１と配管２との接続を断って、配管２と外部の排水口１４とを接続して、この排水口１４から、配管２内の水を外部に排水する（図２参照）。
【００１２】
このような水抜栓１３の開閉の制御は、水抜栓１３の上部に設けたモータＭによって行われ、このモータＭは、家屋Ｋ内に設置した開閉装置２０によって操作される。開閉装置２０には、押しボタンがあり、それを操作することでモータＭを回転でき、水抜栓１３の開閉状態は表示部によって表示されるようになっている。なお水抜栓１３の排水口１４の周りに、浸透用のマスや排水ブロックを設けてもよく、このようなマスを設けることで、配管２内の水が排水されやすくなる。
【００１３】
２２は、スプリンクラヘッド６が設けられる室内に設置される火災感知器である。火災感知器２２は図示しないスイッチング回路を備え、火災を検知した時に、そのスイッチング回路を閉じて信号線Ｓ間を短絡するものである。
【００１４】
２４は制御手段としての制御盤で、信号線Ｓを介して、スプリンクラヘッド６の接点機構７及び火災感知器２２に接続されている。また制御盤２４は開閉装置２０とも接続されている。
【００１５】
この制御盤２４は、火災感知器２２が動作した時、又は接点機構７からの動作信号を受信した時に、水道本管１と配管２とを接続するように、水抜栓１３を開放制御するように開閉装置２０に開放信号を出力する。なお制御盤２４は予備電源としてのバッテリ及び停電検出回路を内蔵しており、停電時には、水抜栓１３を自動的に開放させ、配管２内に給水するように制御される。このバッテリによって信号線Ｓにも電力が供給され、火災感知器２２にも電気を供給している。このため停電時に火災が発生しても、確実に火災を消火することができる。
【００１６】
２６は吸気弁で、配管２の高い位置または給水栓１１に設けられる。吸気弁２６とは、配管２内と接続される接続口と、外部との吸気口とを備えた弁で常時は閉じている。吸気弁２６は、水抜栓１３が閉じて、排水口１４から配管２内の水が抜ける際に、配管２内がわずかな負圧状態となるので、その時に開放して吸気口から配管内２に外気を吸引するものである。
【００１７】
次に図１を使用して、本発明のスプリンクラ消火設備のシステムの動作について説明する。通常時においては、水抜栓１３は開放しており、水道本管１と配管２が接続状態となっており、配管２内は充水されている。このような状態で室内で火災が発生した場合には、スプリンクラヘッド６が動作して、配管２内の水が直ちにスプリンクラヘッド６から放水されることになる。
【００１８】
夜間などの凍結防止時においては、家主が開閉装置２０を操作して、モータＭを回転させ、水抜弁１３を閉止させる。水抜弁１３を閉止させることで、配管２と外部の排水口１４とが接続状態となり、配管２内の水が外部へと排水させる。この際、吸気弁２６が開放することで、配管２内の水は排水されやすくなっている。なお、図面の右側に描かれた、配管２の立ち下がり部分２ｃに残った水は、給水栓１１を一時的に開けることで、排水される。またこの時、開閉装置２０の表示部には水が抜かれたことが表示される。
【００１９】
次に、このように配管２内に水がない乾式状態の時に、火災が発生した場合につい    て説明する。火災が発生すると、熱気流によりスプリンクラヘッド６の天井面から突 出した略椀形状のカバー５が加熱され、カバー５を固定している半田が溶融する。そ    うするとカバー５が自重によって、磁石７ａと共に落下する。磁石７ａの落下により、
接点機構７を構成するリードスイッチ７ｂ（図３参照）の接点が閉じ、信号線Ｓを短    絡させ、制御盤２４に動作信号を出力する。
【００２０】
制御盤２４は、動作信号を受信すると、図示しない内蔵の警報装置を鳴動させ、家屋Ｋ内で火災が発生していることを警報する。また制御盤２４は動作信号を受信すると、開閉装置２０に、水抜栓１３を開かせる開放信号を出力する。
【００２１】
開閉装置２０は、この開放信号を受信すると、水抜栓１３を開放させ、水道本管１と配管２を接続状態にして、配管２内に水を供給して充水させる。その後、スプリンクラヘッド６が動作して、図示しない弁体が落下すると、スプリンクラヘッド６から消火水が放水され、火災を消火する。
【００２２】
なお火災感知器２２が動作した場合も、接点機構７が閉じた時と同様に、制御盤２４に動作信号が出力され、それに伴って、制御盤２４が開閉装置２０に、水抜栓１３を開かせる開放信号を出力する。従って火災を検知する手段としては、火災感知器２２とスプリンクラヘッド６の接点機構７のうちどちらか一方が設けてあればよい。
【００２３】
ところで図１に示すように、スプリンクラヘッド６の接点機構７のリード線７ｃと、火災感知器２２とは同一の信号線Ｓに接続されている。このため信号線Ｓは一つあればたり、配線の敷設作業が容易となる。
【００２４】
本実施形態においては、給水源が水道本管となる一般家庭にスプリンクラ消火設備を設けた場合で説明したが、ビルなどの建屋にこのスプリンクラ消火設備を設けてもよく、その場合には給水源は水槽及びポンプから構成される。
【００２５】
また本実施形態では、水抜栓と呼ばれる弁を配管の基端側に設けた場合で説明したが、図５に示すように普通の弁を２つ用意して、その１つの弁３１を配管２に設置し、通常時は開放させ、凍結防止時に閉じ、またもう１つの弁３２を配管から分岐した分岐管に設けて、通常時は閉じておき、凍結防止時に開放させるようにしてもよい。即ち、弁３１は接続口１３ａと１３ｂ間を開閉する弁であり、弁３２は接続口１３ｂと流出口１４を開閉する弁である。このように２つの弁を水抜栓として使用してもよい。
【００２６】
【発明の効果】
本発明は、基端側が給水源に接続された配管と、配管に設けられ、略椀形状のカバ ーを天井面より突出させたスプリンクラヘッドと、配管の基端側に設けた水抜栓と、 水抜栓を制御する制御手段とを備えたスプリンクラ消火設備において、スプリンクラ ヘッドに、火災検知時に動作信号を出力する接点機構を設け、スプリンクラヘッドが 設けられる室内に火災感知器を設置し、接点機構のリード線と火災感知器を同一の信 号線に接続し、火災感知器とスプリンクラヘッドのどちらか一方の動作信号により、 給水源と配管とを接続するように、水抜栓を制御することができるため、配管内に水 がない状態で火災が発生した時、遅れることなく、直ちにスプリンクラヘッドから放 水できる。よって、寒冷地においても使用でき、初期火災の段階で確実に火災を消火 できるスプリンクラ設備を提供することができる。
【図面の簡単な説明】
【図１】図１は、本発明のスプリンクラ消火設備のシステム図である。
【図２】図２は、水抜栓の開閉状態を簡略してあらわした図面である。
【図３】図３は、接点機構付きスプリンクラヘッドの断面図である。
【図４】図４は、水抜栓の断面図である。
【図５】図５は、水抜栓の別の実施形態を示した図面である。
【符号の説明】
１  水道本管、  ２  配管、  ２ａ  配管、  ５  カバー、
６  スプリンクラヘッド、  ７  接点機構、  ７ａ  磁石、
７ｂ  リードスイッチ、  ７ｃ  リード線、  ８  取付部材、
８ａ  フランジ、  ９  係止バネ、  １１  給水栓、  １３  水抜栓、
１３ａ  接続口、  １３ｂ  接続口、  １４  外部への流出口、
２０  開閉装置、  ２２  火災感知器、  ２４  制御盤、  ２６  吸気弁、
３１  弁、  ３２  弁、  Ｋ  家屋、  Ｓ  信号線、
【図１】
0003809317.tif 000002
【図２】
0003809317.tif 000003
【図３】
0003809317.tif 000004
【図４】
0003809317.tif 000005
【図５】
0003809317.tif 000006